(57)【要約】【課題】小型で、光損失も少なく、簡単な構成で、民生品に使用できる。【解決手段】装置本体に設けられた第１の光コネクタ１２と、装置本体に設けられた複数の第２の光コネクタ１３と、第１の光コネクタ１２に接続された光ファイバ１４が接続された切換部１５と、切換部１５を複数の第２の光コネクタ１３の選択方向に移動する選択機構２６と、切換部１５を第２の光コネクタ１３に対する挿抜方向に移動する挿抜機構３１と、選択機構２６及び挿抜機構３１を操作する操作部３４とを備える。操作部３４が押されたとき、挿抜機構３１は、切換部１５を第２の光コネクタ１３から離間する方向に移動し、操作部３４がスライドされることで、選択機構２６は、切換部１５を選択する第２の光コネクタ１３の前に移動し、操作部３４の押圧が解除されると、挿抜機構３１は、選択された第２の光コネクタ１３に切換部１５を近接する方向に移動させる。【選択図】図２
2007108352.tif 000002
【特許請求の範囲】
【請求項１】
装置本体に設けられた第１の光コネクタと、上記装置本体に並んで設けられた複数の第２の光コネクタとを有し、上記第１の光コネクタを上記第２の光コネクタの何れか一に位置決めして光結合による接続をする光スイッチ装置において、
上記第１の光コネクタに接続された光ファイバが接続された切換部と、
上記切換部を、上記複数の第２の光コネクタの選択方向に移動する選択機構と、
上記切換部を、上記第２の光コネクタに対する挿抜方向に移動する挿抜機構と、
上記選択機構及び上記挿抜機構を操作する操作部とを備え、
上記操作部が押されたとき、上記挿抜機構は、上記切換部を上記第２の光コネクタから離間する方向に移動し、次いで、上記操作部がスライドされると、上記選択機構は、上記切換部を、選択する第２の光コネクタの前に移動し、上記操作部の押圧が解除されると、上記挿抜機構は、上記選択された第２の光コネクタに上記切換部を近接する方向に移動させる光スイッチ装置。
【請求項２】
上記選択機構は、上記切換部が設けられると共に上記操作部が設けられた移動体と、上記移動体を上記選択方向にスライド可能に支持するガイド軸とを有し、
上記挿抜機構は、上記移動体に対して上記挿抜方向に移動可能に上記切換部を支持するガイド軸と、上記切換部を上記第２の光コネクタへの接続方向に押圧する押圧部材とを有し、
上記装置は、更に、上記切換部の上記選択方向及び上記挿抜方向の移動をガイドする移動ガイド部に第２の光コネクタの数に対応した複数の位置決め凹部が形成されたガイド部材を有し
上記切換部は、上記操作部での操作に応じて上記移動ガイド部に沿って移動し、一の位置決め凹部に嵌合することによって、上記選択された第２の光コネクタに接続される請求項１記載の光スイッチ装置。
【請求項３】
上記切換部には、ベアリングが設けられ、このベアリングが上記ガイド部材の移動ガイド部に押圧されている請求項２記載の光スイッチ装置。
【請求項４】
上記第２の光コネクタは、上記ガイド部材に位置決めされて取り付けられている請求項２記載の光スイッチ装置。
【発明の詳細な説明】
【技術分野】
【０００１】
本発明は、複数の光コネクタの中の一と光接続を可能とする光スイッチ装置に関する。
【背景技術】
【０００２】
光スイッチ装置には、例えば特許文献１に記載されたものがある。この特許文献１の光スイッチ装置は、１対３の切換スイッチで、ＭＥＭＳ（Micro Electro Mechanical System）構造を有し、ミリ秒オーダのスイッチング速度で切り換えを行うことができる。このＭＥＭＳを用いた光スイッチ装置は、ＭＥＭＳ構造を小さくするために、光コネクタからの信号の直接のスイッチは困難となり、現実的には、複数の光ファイバを近接させ、これら光ファイバ間のスイッチを行う構造となる。しかしながら、ＭＥＭＳ構造の光スイッチ装置は、ブロック近傍まで導波路等で光を伝送する必要があるので、導波路との光結合部分等が必要になりコストアップしてしまう。また、この光スイッチ装置は、光結合部分が増えてしまうので、光損失も増えてしまう。
【０００３】
また、光スイッチ装置には、特許文献２や特許文献３に記載されたようなアクチュエータを用いたものがある。特許文献２の光スイッチ装置は、ミラーブロックとアクチュエータを用いて切り換える方式で、ミリ秒オーダのスイッチング速度の実現も可能だが、アクチュエータとミラーブロックにより光路を切り換えるので、光路長が長くなってしまう。光路長が長くなると、各部に要求される精度がきわめて高くなり、多数の光信号を切り換えるのが困難となり、また、高い加工精度等からコストアップしてしまう。
【０００４】
特許文献３の光スイッチ装置は、プーリ、モータを用いているので可動範囲は大きく取れるが、接続する光ファイバ同士は、通常の光コネクタと同じくファイバ端面同士を接合させる構造で、シングルモードファイバでは１ミクロン以内、マルチモードファイバでも±数ミクロンの位置精度が要求され、高い加工精度等からコストアップしてしまう。また、構造も大規模で、基地局内で使用される光スイッチであり、民生で使われる映像信号の光スイッチとして使用することは困難である。
【０００５】
ところで、近年、民生用映像システムの高解像度化に伴って、映像データの転送レートが高くなっている。例えば、水平解像度１０８０本の映像データでは、転送レートは４Ｇｂｐｓを超えている。このように、転送レートが上がってくると、従来の電気ケーブルを用いた伝送では帯域と距離の制約によりその使用が困難になってくる。このため、今後これらの高速な映像データの通信は光伝送化する必要がある。しかしながら、上述した特許文献１乃至特許文献３の光スイッチ装置は、コスト高であり、民生用としては不向きであり、また、損失も多い。
【０００６】
【特許文献１】特開２００４−１２６３６８号公報
【特許文献２】特開２００４−３７６５２号公報
【特許文献３】特開２００２−３１１３４４号公報
【発明の開示】
【発明が解決しようとする課題】
【０００７】
本発明は、以上のような問題点に鑑みてなされたものであり、その目的は、小型で、光損失も少なく、更に、簡単な構成で、民生品に使用できる光スイッチ装置を提供することにある。
【課題を解決するための手段】
【０００８】
本発明に係る光スイッチ装置は、装置本体に設けられた第１の光コネクタと、上記装置本体に並んで設けられた複数の第２の光コネクタとを有し、上記第１の光コネクタを上記第２の光コネクタの何れか一に位置決めして光結合による接続をする光スイッチ装置において、上記第１の光コネクタに接続された光ファイバが接続された切換部と、上記切換部を、上記複数の第２の光コネクタの選択方向に移動する選択機構と、上記切換部を、上記第２の光コネクタに対する挿抜方向に移動する挿抜機構と、上記選択機構及び上記挿抜機構を操作する操作部とを備える。上記操作部が押されたとき、上記挿抜機構は、上記切換部を上記第２の光コネクタから離間する方向に移動し、次いで、上記操作部がスライドされると、上記選択機構は、上記切換部を、選択する第２の光コネクタの前に移動し、上記操作部の押圧が解除されると、上記挿抜機構は、上記選択された第２の光コネクタに上記切換部を近接する方向に移動させる。
【発明の効果】
【０００９】
本発明によれば、選択機構で複数の第２の光コネクタの中から一の光コネクタを選択し、挿抜機構で選択された第２の光コネクタと切換部との挿抜を行うようにしたので、小型で、光損失も少なく、更に、簡単な構成で、民生品に使用できる光スイッチ装置を提供することができる。
【発明を実施するための最良の形態】
【００１０】
以下、本発明を適用した光スイッチ装置について図面を参照して説明する。
【００１１】
図１に示すように、本発明が適用された光スイッチ装置１０は、例えば、映像システム１に用いられる。すなわち、光スイッチ装置１０には、映像表示装置２が光ファイバ３で接続されると共に、ビデオテープカセット、光ディスク、ハードディスク等を記録媒体に用いた複数台の記録再生装置４ａ，４ｂ，４ｃ，４ｄ（以下、単に記録再生装置４ともいう。）が光ファイバ５で接続される。光スイッチ装置１０は、例えば、記録再生装置４ａで再生したＡＶデータ等のデータを再生するとき、ｃｈ１の記録再生装置４ａを選択し、記録再生装置４ａで再生されたデータが映像表示装置２で表示されるようにする。なお、光スイッチ装置１０は、映像表示装置２と一体でも良い。
【００１２】
以上のような映像システム１に用いられる光スイッチ装置１０は、図２及び図３に示すように、装置本体１１の一の側面１１ａに設けられた第１の光コネクタ１２と、この一の側面１１ａと対向する他の側面１１ｂに設けられた複数の第２の光コネクタ１３ａ，１３ｂ，１３ｃ，１３ｄ（以下、単に第２の光コネクタ１３ともいう。）とを有する。第１の光コネクタ１２は、光ファイバ３によって映像表示装置２に接続され、各第２の光コネクタ１３は、光ファイバ５によって、各記録再生装置４に接続されている。
【００１３】
なお、第２の光コネクタ１３の数は限定されるものではないが、図２の例では、第２の光コネクタ１３を４つ設け、装置本体１１の他の側面１１ｂに等間隔に互いに離間して一列に設けられている。
【００１４】
光スイッチ装置１０は、第１の光コネクタ１２と第２の光コネクタ１３ａ〜１３ｄの何れか一とを接続するものである。例えば、光スイッチ装置１０は、映像表示装置２に接続された第１の光コネクタ１２と記録再生装置４ａに接続されたｃｈ１の第２の光コネクタ１３ａとを接続し、記録再生装置４ａで再生されているＡＶデータ等のデータを映像表示装置２で表示できるようにする。また、光スイッチ装置１０は、映像表示装置２で表示されているデータを、記録再生装置４ａの記録媒体の記録できるようにする。
【００１５】
以上のような光スイッチ装置１０は、図２及び図３に示すように、第１の光コネクタ１２に接続された可撓性の光ファイバ１４が接続される切換部１５を有する。この切換部１５は、光ファイバ１４の一端部を支持するファイバ支持体１６を有する。このファイバ支持体１６は、図２及び図３に示すように、凹部１６ａが形成され、この凹部１６ａに、レンズブロック１６ｂが接着剤等で取り付けられる。このレンズブロック１６ｂは、図４（Ａ）及び図４（Ｂ）に示すように、全体が略Ｌ字状をなし、一の片に、光ファイバ１４の一端部を支持する断面略Ｖ字状の支持溝１７を有している。ここでは、２本の光ファイバ１４を用いるため、２つの支持溝１７，１７が互いに離間し平行に形成されている。また、支持溝１７が形成された片と略直角な片には、支持溝１７に支持された光ファイバ１４の一端部突き当てられる部分に、光ファイバ１４と光軸を一致させたコリメータレンズ１８が設けられている。したがって、レンズブロック１６ｂは、コリメータレンズ１８を介して平行光の光信号が入出力されることになる。例えば、２本の光ファイバは、一を信号入力用に用いられ、他を信号出力用に用いられる。
【００１６】
また、図４（Ａ）に示すように、レンズブロック１６ｂには、第２の光コネクタ１３のレンズブロックとの接続面に、接続される第２の光コネクタ１３との位置決めをするための位置決め突部１９，１９が形成されている。位置決め突部１９，１９は、コリメータレンズ１８の外側に形成され、先端部には、先端が略先鋭となるように、ガイド部１９ａ，１９ａが形成されている。
【００１７】
なお、第２の光コネクタ１３のレンズブロック２０には、ファイバ支持体１６側のレンズブロック１６ｂのコリメータレンズ１８に対応したコリメータレンズ２１が設けられていると共に、記録再生装置４に接続されている光ファイバ５を支持する支持溝２２が形成されている。また、レンズブロック２０には、レンズブロック１６ｂの位置決め突部１９，１９が嵌合される位置決め孔２３，２３が形成されている。位置決め突部１９，１９のガイド部１９ａ，１９ａは、位置決め孔２３，２３に挿入される際のガイドとなる。なお、位置決め孔２３をファイバ支持体１６側とし、位置決め突部１９を第２の光コネクタ１３側としても良い。そして、図４（Ｃ）に示すように、ファイバ支持体１６のレンズブロック１６ｂと第２の光コネクタ１３のレンズブロック２０とは、光軸が一致した位置決めされた状態で接続されることになる。これにより、光結合に必要な例えば数ミクロン程度の精度で位置決めを行うことができる。
【００１８】
図３に示すように、以上のように構成された切換部１５は、複数の第２の光コネクタ１３を選択する選択機構２６により移動される。この選択機構２６は、ファイバ支持体１６を有する切換部１５が取り付けられる移動体２７と、この移動体２７が取り付けられ移動をガイドするガイド軸２８とを有する。
【００１９】
ガイド軸２８は、装置本体１１の他の側面１１ｂに設けられた複数の第２の光コネクタ１３の選択方向に沿って配設され、移動体２７のガイド孔２９に挿通される。これにより、切換部１５が取り付けられた移動体２７は、手動で、ガイド軸２８に沿って図２及び図３中矢印Ａ方向及び反矢印Ａ方向に直線移動が可能となり、複数の第２の光コネクタ１３の選択が可能となる。
【００２０】
以上のような選択機構２６によって一の第２の光コネクタ１３が選択されると、上述の切換部１５は、挿抜機構３１によって、ファイバ支持体１６の第２の光コネクタ１３に対する挿抜が行われる。この挿抜機構３１は、図３に示すように、切換部１５のファイバ支持体１６に設けられた一対のガイド軸３２を移動体２７の図示しないガイド孔に挿入することによって、挿抜方向となる図２及び図３中矢印Ｂ方向及び反矢印Ｂ方向に直線移動可能に取り付けられる。一対のガイド軸３２には、コイルバネ等の押圧部材３３が巻挿されている。押圧部材３３は、第２の光コネクタ１３と確実に接続されるように、常時、ファイバ支持体１６を第２の光コネクタ１３の方向である図２及び図３中矢印Ｂ方向に付勢している。
【００２１】
以上のような選択機構２６及び挿抜機構３１によって互いに直交する２方向の移動がガイドされた切換部１５と移動体２７には、２方向の移動をガイドする操作部３４が設けられている。この操作部３４は、図５に示すように、ユーザにより操作される操作体３５と、この操作体３５に取り付けられるシャフト３６と、移動体２７に固定される基体部３７と、シャフト３６とファイバ支持体１６とを接続するワイヤ３８と、このワイヤ３８が掛け渡されるプーリ３９とを有する。
【００２２】
シャフト３６は、一端部が操作体３５の取付部３６ａであり、操作体３５が接着剤等で固定される。図３及び図６に示すように、操作体３５が取り付けられたシャフト３６は、装置本体１１に第２の光コネクタ１３の選択方向に沿って形成されたスリット３５ａに挿通される。また、シャフト３６の他端部には、ワイヤ３８が固定される固定片３６ｂが形成されている。シャフト３６は、取付部３６ａと固定片３６ｂとの間がガイド部３６ｃとなっており、基体部３７に形成されたガイド孔３６ｄに挿通される。プーリ３９は、シャフト３６の固定片３６ｂの上側に位置するように、移動体２７の凹部３８ａに回転可能に支持され、垂直動作を水平動作に変換する。ワイヤ３８は、一端がシャフト３６の固定片３６ｂに固定され、他端がファイバ支持体１６に固定され、２つの固定端の間でプーリ３９に掛け渡される。ワイヤ３８は、ファイバ支持体１６が押圧部材３３により図３及び図５中矢印Ｂ方向に付勢されていることで緊張した状態となっており、操作体３５を図５中矢印Ｃ方向に押圧することによって、プーリ３９に掛け渡されたワイヤ３８を介してファイバ支持体１６を引っ張り、ファイバ支持体１６を第２の光コネクタ１３と切換部１５との接続を解除する図３及び図５中反矢印Ｂ方向に移動させる。
【００２３】
ところで、装置本体１１には、図２及び図３に示すように、切換部１５の図２及び図３中矢印Ａ方向とＢ方向の２方向の移動をガイドするガイド部材４１が取り付けられる。このガイド部材４１には、両側に支持片４２が設けられ、各支持片４２に軸孔４３が設けられ、この軸孔４３に選択機構２６のガイド軸２８の端部が固定される。また、ガイド部材４１には、一対の支持片４２の間に、複数の第２の光コネクタ１３が固定される。各第２の光コネクタ１３の取付位置には、真円の基準孔４４ａと長孔の調整孔４４ｂとが設けられ、図示しないが第２の光コネクタ１３の裏面に形成された取付突起が係合され位置決めされ、第２の光コネクタ１３が接着剤、ねじ等で固定される。これにより、ガイド部材４１に固定された各第２の光コネクタ１３に対する移動体２７の距離が規定されることになり、ガイド軸３２によって移動体２７に取り付けられた切換部１５のファイバ支持体１６の移動量によって、ファイバ支持体１６と第２の光コネクタ１３との挿抜を行うことができるようになる。
【００２４】
このガイド部材４１の一対の支持片４２の間の端面には、選択機構２６及び挿抜機構３１によって互いに直交する２方向の移動する切換部１５の移動をガイドする移動ガイド部４５が形成されている。この移動ガイド部４５は、図３に示すように、ガイド部材４１に固定された第２の光コネクタ１３の取付位置に対応して位置決め凹部４６ａ，４６ｂ，４６ｃ，４６ｄ（以下、単に位置決め凹部４６ともいう。）が複数形成され、位置決め凹部４６の間に、ガイド突部４７ａ，４７ｂ，４７ｃ（以下、単にガイド突部４７ともいう。）が複数形成されている。このような移動ガイド部４５には、円滑な移動を実現するための切換部１５のファイバ支持体１６に取り付けられたベアリング４８が当接される。移動ガイド部４５の位置決め凹部４６は、切換部１５のベアリング４８が嵌合し、切換部１５の正確な位置決めができるように、底部がベアリング４８に対応した円弧面で形成されると共に、互いに対向する面がベアリング４８の直線的な移動ガイドを行うことができるように、ベアリング４８の直径と一致させた直線的な面で形成されている。また、隣り合う位置決め凹部４６の間に設けられるガイド突部４７は、位置決め凹部４６と接続する分部がなだらかな円弧面又は傾斜面で形成され、ベアリング４８が円滑に移動し得るように形成されている。なお、本発明では、ベアリング４８ではなく、単なる位置決め突起で構成しても良い。
【００２５】
次に、以上のように構成された光スイッチ装置１０の動作を、図１に示す第２の光コネクタ１３ａから第２の光コネクタ１３ｂに切り換える場合を例に説明する。先ず、第１の光コネクタ１２に光ファイバ１４によって接続されている切換部１５がｃｈ１の第２の光コネクタ１３ａに接続されているとき、図７に示すように、切換部１５を構成するファイバ支持体１６に取り付けられているベアリング４８は、移動ガイド部４５の位置決め凹部４６ａに嵌合した状態にある。すなわち、ファイバ支持体１６に取り付けられているベアリング４８は、挿抜機構３１の押圧部材３３の付勢力によって位置決め凹部４６ａに押圧されている状態あり、これに伴って、ファイバ支持体１６は、第２の光コネクタ１３ａの接続面に押圧されて近接し、更に、位置決め突部１９が位置決め孔２３に嵌合することによって、確実に接続された状態にある。そして、図３及び図６に示すように、移動体２７に取り付けられた操作部３４の操作体３５も第２の光コネクタ１３ａに対応したｃｈ１の位置にある。このとき、図３及び図５に示すように、切換部１５のファイバ支持体１６は、ベアリング４８が移動ガイド部４５の位置決め凹部４６ａに嵌合されていることによって、図７中矢印Ｂ方向の付勢が規制されており、挿抜機構３１のワイヤ３８及びプーリ３９を介してシャフト３６は、図５中反矢印Ｃ方向に移動しており、取付部３６ａに取り付けられている操作体３５を突出させ押圧可能な状態にしている。
【００２６】
そして、ユーザによって、ｃｈ１の第２の光コネクタ１３ａからｃｈ２の第２の光コネクタ１３ｂへの切換操作を行うとき、先ず、突出した状態にある操作部３４の操作体３５がユーザによって図５中矢印Ｃ方向に押圧される。すると、操作体３５が取り付けられているシャフト３６も同方向に移動し、これにより、プーリ３９に掛け渡されたワイヤ３８を介して接続された切換部１５のファイバ支持体１６は、押圧部材３３の付勢力に抗してガイド軸３２にガイドされながら図３及び図５中反矢印Ｂ方向に移動し、これに伴って、ファイバ支持体１６に取り付けられているベアリング４８は、移動ガイド部４５の位置決め凹部４６ａから直線的に待避する。これにより、切換部１５のファイバ支持体１６に設けられているレンズブロック１６ｂは、第２の光コネクタ１３ａのレンズブロック２０から直線的に待避することになり、互いのレンズブロック１６ｂ，２０への機械的ストレスを小さくすることができる。
【００２７】
ユーザが操作体３５を押圧した状態を維持しながらｃｈ２の第２の光コネクタ１３ｂの方向にスライド操作すると、図７に示すように、切換部１５のファイバ支持体１６に取り付けられているベアリング４８は、移動ガイド部４５の位置決め凹部４６ａと位置決め凹部４６ｂの間のガイド突部４７ａを、当接しながら押圧部材３３の付勢力に抗して乗り上げるようにして、位置決め凹部４６ａから位置決め凹部４６ｂへと移動する。この際、ベアリング４８がガイド突部４７ａを乗り越えることで、切換部１５のファイバ支持体１６は、図３及び図５中反矢印Ｂ方向に移動し、これに伴って、プーリ３９に掛け渡されたワイヤ３８がシャフト３６に固定されることによってファイバ支持体１６と接続された操作部３４の操作体３５は、ユーザの押圧力によって、更に、図５中矢印Ｃ方向に沈み込む。ユーザは、この操作体３５の沈み込みを感得することによって、切換中であることを知ることができる。
【００２８】
なお、切換部１５の移動体２７に対する移動量を大きくして、ベアリング４８がガイド突部４７ａ上を移動するとき、ベアリング４８をガイド突部４７ａに対して非接触の状態で移動させるようにしても良い。
【００２９】
図７に示すように、ベアリング４８は、ｃｈ２の第２の光コネクタ１３ｂに対応した位置決め凹部４６ｂにまで移動すると、挿抜機構３１の押圧部材３３の付勢力によって位置決め凹部４６ｂに進入し嵌合する。この際、移動ガイド部４６の位置決め凹部４６ｂは、互いに互いに対向する面が直線的に形成されていることから、ベアリング４８が直線的に位置決め凹部４６ｂに進入して嵌合することになり、互いのレンズブロック１６ｂ，２０への機械的ストレスを小さくすることができる。そして、ファイバ支持体１６は、第２の光コネクタ１４ｂの接続面に押圧されて近接し、更に、位置決め突部１９が位置決め孔２３に嵌合することによって、確実に接続された状態となる。また、レンズブロック１６ｂ，２０ｂ同士は、押圧部材３３によって圧着されることから、コリメータレンズ１８，２１が対峙した光結合部分を直線的にすることができ、光損失を少なくすることができる。
【００３０】
また、操作部３４の操作体３５は、ベアリング４８がガイド突部４７ａから位置決め凹部４６ｂに移動し、更に、ユーザによる押圧が解除されることによって、沈み込んだ状態から突出した状態に戻り、これにより、ユーザは、ｃｈ１の第２の光コネクタ１３ａからｃｈ２の第２の光コネクタ１３ｂへの切換が完了したことを知ることができる。
【００３１】
以上のような光スイッチ装置１０では、切換部１５の選択機構２６と挿抜機構３１に手動で行う機械的な機構を用いたことによって、簡単な構成で安価に構成することができると共に、切換部１５を選択された第２の光コネクタ１３に正確に移動し接続することができる。また、電力を用いることなく切換を行うことができる。また、この光スイッチ装置１０は、ＭＥＭＳではないことから、低コストで製造することができると共に、ファイバ支持体１６のコリメータレンズ１８と第２の光コネクタ１３のコリメータレンズ２１とを近接させることができ、光損失を少なくすることができる。
【００３２】
なお、以上の例では、装置本体１１の一の側面１１ａに第１の光コネクタ１２を設け、他の側面１１ｂに第２の光コネクタ１３を設けたが、本発明では、図８に示すように、第１の光コネクタ１２と第２の光コネクタ１３とを同じ側面、例えば他の側面１１ｂに設けるようにしても良い。
【００３３】
更に、切換部１５側のレンズブロック１６ｂと第２の光コネクタ１３のレンズブロック２０との位置決めは、位置決め突部１９と位置決め孔２３を用いる他、図９（Ａ）及び図９（Ｂ）に示す構成としても良い。図９（Ａ）に示すように、ファイバ支持体１６のレンズブロック１６ｂには、第２の光コネクタ１３との接続のための略矩形をなす接続用開口部５１が形成され、開口端に、内側に向けて開口面が小さくなるように傾斜面を形成し、ここに傾斜ガイド部５２が形成されている。一方、図９（Ｂ）に示すように、第２の光コネクタ１３のレンズブロック２０には、接続用開口部５３に傾斜ガイド部５２に嵌合する傾斜ガイド突部５４が形成されている。ファイバ支持体１６のレンズブロック１６ｂと第２の光コネクタ１３のレンズブロック２０とは、傾斜ガイド部５２と傾斜ガイド突部５４とを嵌合させることによっても位置決めすることができる。
【図面の簡単な説明】
【００３４】
【図１】本発明が適用された光スイッチ装置が用いられる映像システムの構成を示す図である。
【図２】本発明が適用された光スイッチ装置の内部構成を示す斜視図である。
【図３】第２の光コネクタに接続される切換部、この切換部の選択機構及び挿抜機構の分解斜視図である。
【図４】切換部のレンズブロックと第２のコネクタのレンズブロックを示す斜視図であり、（Ａ）は、切換部のレンズブロックを第２の光コネクタのレンズブロックとの接続面側から見た図であり、（Ｂ）は、第２の光コネクタのレンズブロックを切換部のレンズブロックとの接続面側から見た図であり、（Ｃ）は、結合状態を示す図である。
【図５】操作部の分解斜視図である。
【図６】本発明が適用された光スイッチ装置の外観斜視図である。
【図７】ガイド部材とベアリングとの位置関係を示す平面図である。
【図８】本発明が適用された光スイッチ装置の他の例を示す斜視図である。
【図９】切換部のレンズブロックと第２のコネクタのレンズブロックの位置決めの機構の他の例を示す斜視図であり、（Ａ）は、切換部のレンズブロックを第２の光コネクタのレンズブロックとの接続面側から見た図であり、（Ｂ）は、第２の光コネクタのレンズブロックを切換部のレンズブロックとの接続面側から見た図である。
【符号の説明】
【００３５】
１  映像システム、２  映像表示装置、３  光ファイバ、４ａ〜４ｄ  記録再生装置、５  光ファイバ、１０  光スイッチ装置、１１  装置本体、１２  第１の光コネクタ、１３ａ〜１３ｄ  第２の光コネクタ、１４  光ファイバ、１５  切換部、１６  ファイバ支持体、１６ａ  凹部、１６ｂ  レンズブロック、１７  支持溝、１８  コリメータレンズ、１９  位置決め突部、１９ａ  ガイド部、２０  レンズブロック、２１  コリメータレンズ、２２  支持溝、２３  位置決め孔、２６  選択機構、２７  移動体、２８  ガイド軸、２９  ガイド孔、３１  挿抜機構、３２  ガイド軸、３３  押圧部材、３４  操作部、３５  操作体、３６  シャフト、３７  基体部、３８  ワイヤ、３８ａ  凹部、３９  プーリ、４１  ガイド部材、４２  支持片、４３  軸孔、４４ａ  基準孔、４４ｂ  調整孔、４５  移動ガイド部、４６ａ〜４６ｃ  ガイド突部、４８  ベアリング、５１  接続用開口部、５２  傾斜ガイド部、５３  接続用開口部、５４  傾斜ガイド部
【図１】
2007108352.tif 000003
【図２】
2007108352.tif 000004
【図３】
2007108352.tif 000005
【図４】
2007108352.tif 000006
【図５】
2007108352.tif 000007
【図６】
2007108352.tif 000008
【図７】
2007108352.tif 000009
【図８】
2007108352.tif 000010
【図９】
2007108352.tif 000011